(57)【要約】【課題】係止孔などがないベルト状部材に対して、その任意の位置に容易に取り付け可能であり、これに収納具や小物などを引っ掛けて収納でき、よりフレキシブルかつ有効に収納スペースを活用できる物掛け具を提供すること。【解決手段】ベルト状部材を挟持して把持する把持部と、物品を引っ掛けて吊るすためのフック部とを備え、前記把持部は２つの把持体からなるものであって、該２つの把持体は相対向する両側端部同士が接合されることにより、ベルト状部材を挟持することが可能なようになされ、そのうち一方の相対向する側端部同士は、可撓性を有する薄肉部を介して連設するようになされると共に、他方の相対向する側端部同士は、互いに係脱自在となされた係合部を備えているようにした。【選択図】  図１
2012016405.tif 000002
【特許請求の範囲】
【請求項１】
ベルト状部材を挟持して把持する把持部と、物品を引っ掛けて吊るすためのフック部とを備え、
前記把持部は２つの把持体からなるものであって、該２つの把持体は相対向する両側端部同士が接合されることにより、ベルト状部材を挟持することが可能なようになされ、
そのうち一方の相対向する側端部同士は、可撓性を有する薄肉部を介して連設するようになされると共に、他方の相対向する側端部同士は、互いに係脱自在となされた係合部を備えていることを特徴とする物掛け具。
【請求項２】
２つの把持体の相対向する面には、それぞれ相対向する面の方向へ突出する複数の突起部を備えていることを特徴とする請求項１記載の物掛け具。
【発明の詳細な説明】
【技術分野】
【０００１】
本発明は、物掛け具に関するものであり、より詳しくは、ベルト状の部材に取り付けて収納具やアクセサリー等の小物などを吊り下げるための物掛け具に関するものである。
【背景技術】
【０００２】
従来から、スペースの有効活用を図った収納具が様々に工夫されてきている。特に、日本の住宅事情を考慮すれば、限られた居住空間の中であまり上手に活用されていない所謂デッドスペースの有効活用は非常に重要であり、それゆえ、そのようなデッドスペースを利用した収納装置等が多く提案されてきている。
【０００３】
そのような収納装置として、例えば、本出願の出願人は、下記特許文献１に記載の収納装置を提案している。特許文献１に記載の収納装置は、クローゼット内の空間を有効に利用するためのものであり、収納スペース内に吊り下げられる複数のベルトと、前記複数のベルト間に差し渡され該ベルトに対して着脱自在に固定される収納部とを備え、前記ベルトは、長手方向に所定の間隔を空けて複数の係止孔が形成されており、前記収納部は、任意の前記係止孔に着脱自在に固定されることによって、複数のベルト間に差し渡され、取り付けられていることを特徴とするものである。
【０００４】
この特許文献１に記載の発明は、収納部がベルトの係止孔に対して着脱自在となっているため、簡単に収納部の配置変更を行うことができ、それゆえ確かにクローゼット内などのスペースを有効に活用して様々な物品を収納することができる。
【先行技術文献】
【特許文献】
【０００５】
【特許文献１】特開２０１０−０８２２９３号公報
【発明の概要】
【発明が解決しようとする課題】
【０００６】
ところが、この特許文献１に記載の収納装置においては、ネジやナット部材を用いて収納部を係止孔に取り付けるものであり、係止孔の間隔でしか収納部の配置を調節できない。それゆえ、収納する物品の大きさ等に応じて収納部の配置を変更するにも限界がある。この点、例えば係止孔間の間隔を狭くしてたくさんの係止孔を形成することも考えられるが、そのようにすると外観（美観）が損なわれ、またベルトの強度が落ちてしまう。
【０００７】
本発明は、上記のような問題点を克服するためになされたものであって、係止孔などがないベルト状部材に対して、その任意の位置に容易に取り付け可能であり、これに収納具や小物などを引っ掛けて収納でき、よりフレキシブルかつ有効に収納スペースを活用できる物掛け具を提供することを目的とする。
【課題を解決するための手段】
【０００８】
上記の課題を解決するため、本発明に係る物掛け具は、ベルト状部材を挟持して把持する把持部と、物品を引っ掛けて吊るすためのフック部とを備え、前記把持部は２つの把持体からなるものであって、該２つの把持体は相対向する両側端部同士が接合されることにより、ベルト状部材を挟持することが可能なようになされ、そのうち一方の相対向する側端部同士は、可撓性を有する薄肉部を介して連設するようになされると共に、他方の相対向する側端部同士は、互いに係脱自在となされた係合部を備えていることを特徴とする。
【０００９】
本発明の物掛け具によれば、２つの把持体によりベルト状部材を挟持するようにして取り付けることができるので、ベルト状部材の任意の位置に当該物掛け具を取り付けることができる。それゆえ、収納したい物品の大きさ等に合わせて物掛け具の取付位置を容易に変更可能であり、よりフレキシブルに、かつ有効にスペースを活用した収納が可能となる。
【００１０】
本発明に係る物掛け具において、２つの把持体の相対向する面には、それぞれ相対向する面の方向へ突出する複数の突起部を備えているようにしてもよい。
【００１１】
このようにすれば、２つの把持体はより強くベルト状部材を挟持して把持することができるので、物掛け具がベルト状部材から容易に脱落しなくなる。
【発明の効果】
【００１２】
以上のとおり、本発明に係る物掛け具によれば、２つの把持体によりベルト状部材を挟持するようにして取り付けることができるので、ベルト状部材の任意の位置に当該物掛け具を取り付けることができる。それゆえ、収納したい物品の大きさ等に合わせて物掛け具の取付位置を容易に変更可能であり、よりフレキシブルに、かつ有効にスペースを活用した収納が可能となる。
【００１３】
本発明に係る物掛け具において、２つの把持体の相対向する面には、それぞれ相対向する面の方向へ突出する複数の突起部を備えているようにすれば、２つの把持体はより強くベルト状部材を挟持して把持することができるので、物掛け具がベルト状部材から容易に脱落しなくなる。
【図面の簡単な説明】
【００１４】
【図１】本発明に係る物掛け具の一実施形態を示す図であり、その使用状態を示した（ア）は正面側から見た斜視図、（イ）は背面側から見た斜視図である。
【図２】図１の実施形態における物掛け具を示す（ア）は正面側から見た斜視図であり、（イ）は背面側から見た斜視図である。
【図３】図２の物掛け具をベルト本体に取り付ける際の手順を示す説明図である。
【図４】図２の物掛け具を実際にベルト本体に取り付ける様子を示す説明図であって、（ア）〜（エ）は、正面側から見た斜視図であり、（カ）〜（ケ）はそれぞれ（ア）〜（エ）を背面側から見た斜視図である。
【図５】図２の物掛け具の一使用状態を示す説明図である。
【図６】図５におけるウォールポケットの取付状態を示す説明図である。
【図７】本発明に係る物掛け具の別の一実施形態を示す図であり、その使用状態を示す図である。
【図８】図７の実施形態における物掛け具を示す（ア）は正面側から見た斜視図であり、（イ）は背面側から見た斜視図である。
【発明を実施するための形態】
【００１５】
以下、本発明を実施するための形態を、図面を参照して説明する。
【実施例１】
【００１６】
図１は、本発明に係る物掛け具の一実施形態を示すものであり、物掛け具１をベルト部材Ｂに取り付けた状態を示すものである。ベルト部材Ｂは、クローゼット内のハンガーバーやドアの壁面、或いは家具の側壁面等に吊り下げられたベルト状の部材である。物掛け具１は、ベルト部材Ｂをその表裏面から挟持するようにして把持する把持部１１と、把持部１１の壁面から突出するように一体的に形成され、物品を引っ掛けて吊るすことが可能な形状としたフック部１２とを備えている。
【００１７】
図２は、この実施形態における物掛け具１の展開図である。物掛け具１は、上述のとおり把持部１１とフック部１２とからなる。把持部１１は、可撓性を有する薄肉部１１３を介して連設された２つの把持体（第一把持体１１１及び第二把持体１１２）を備えており、当該薄肉部１１３を折り曲げると２つの把持体の対向する面同士がベルト部材Ｂを挟持して互いに向かい合うようになされている。
【００１８】
この両把持体１１１、１１２の相対向する面には、それぞれ相対向する面の方向へ突出する多数の突起部１１１ａ、１１２ａが形成されている。この実施形態においては、突起部１１１ａ、１１２ａは、それぞれ把持体１１１、１１２の壁面から円すい台形状に突出したものとなされ、全ての突起部（円すい台）１１１ａ、１１２ａの軸線は互いに同軸ではなく、第一把持体１１１に形成された突起部１１１ａの先端面と、第二把持体１１２に形成された突起部１１２ａの先端面とは突き合わされることがない。また、薄肉部１１３を折り曲げて２つの把持体の対向する面同士がベルト部材Ｂを挟持して互いに向かい合うようにした状態において、円すい台の高さは、いずれも両把持体の相対向する面の間に生じる隙間の距離の二分の一よりも高くなされている。これにより、把持部１１がベルト部材Ｂを強く把持することが可能となるので、物掛け具１がベルト部材Ｂに対してしっかりと取り付けられ、容易に脱落しない。
【００１９】
また、両把持体は、それぞれ第一係合部１１５第二係合部１１６を備えており、この両係合部が係合することによって、物掛け具１がベルト部材Ｂを把持した状態に取り付けられる。第一係合部１１５は、第一把持体１１１の側端部に薄肉部１１８を介して連設されていて、平面視略Ｌ字形状の板状部材となされている。この第一係合部１１５が第二把持体１１２の側端部、すなわち第二係合部１１６に対しこれを覆うようにして係合される。第二係合部１１６は、第二把持体１１２の側端部近傍に、第一係合部１１５の先端部に形成された凸条１１５ａに対して嵌合可能な凹溝１１６ａが形成されている。図２に示すように、凹溝１１６ａは、第二把持体１１２の外側壁面に該壁面を上下方向へ半円柱状に切り抜くようにして形成されている。
【００２０】
次に、図３に従って物掛け具１の取り付け方を示しながら、この実施形態における物掛け具１の構成を再度説明する。尚、本来、物掛け具１は図４に示すようにベルト部材Ｂを挟持するようにして取り付けられるものであるが、説明を分かり易くするため、図３においては敢えてベルト部材Ｂを図示せずに説明をするものである。
【００２１】
図３（ア）にあるように、両把持部によってベルト部材Ｂを挟持するようにすべく、物掛け具１の薄肉部１１３を折り曲げる（矢印Ｘ）。図３（イ）の矢印Ｙの方向へ更に薄肉部１１３を折り曲げてゆき、両把持体によりベルト部材Ｂを挟持させた状態（ベルトは図示せず）で薄肉部１１８を折り曲げ、矢印Ｚの方向へ第一係合部１１５を回動させる。そして第一係合部１１５が第二把持体１１２の側端部１１６を覆うようにするとともに、第一係合部１１５に形成された凸条１１５ａが第二係合部１１６の凹溝１１６ａに嵌入するようにして、第一係合部１１５が第二係合部１１６に係合（嵌着）させられる。これによって、物掛け具１は、ベルト部材Ｂにしっかりと取り付けられるのである。
【００２２】
ところで、図１、２に示すように、物掛け具１には、その第一把持体１１１の外側壁面から突出するようにしてフック部１２が一体的に形成されている。この実施形態においては、フック部１２は、第一把持体１１１の外側壁面の略中央下端部近傍から立ち上がり、先ず第一把持体１１１の外側壁面から該外側壁面に対して直交して水平方向へ延び、その先端から屈曲してやや上方へ角度を変えて更に延び、その先端において更に屈曲して上方へ延びる断面略円形状の突出片１２１により形成されている。当該突出片の中間部の周面には、屈曲内側方向へ突出する突起部１２２が複数形成されている。これによってフック部１２に引っ掛けた収納物品が容易にフック部１２から脱落しないようになされている。
【００２３】
さらに、収納物品の脱落を防止するため、図１に示すように、フック部１２の先端には返し部１３１が設けられている。返し部１３１は、嵌入部１３２と一体的に形成された先端キャップ１３の一部であり、物掛け具１の本体（把持部１１及びフック部１２）とは別体として作製されている。先端キャップ１３は、フック部１２の先端に形成された孔部１２５に嵌入部１３２が嵌入されて、フック部１２の先端に取り付けられる。返し部１３１は略円盤形状となされ、フック部１２の「断面略円形状」の円形断面積よりも、断面積が大きいものとなされており、この返し部１３１があることで、フック部１２に引っ掛けた収納物品が抜け落ちないようになされている。
【００２４】
嵌入部１３２は、返し部１３１の下面から垂直に延びる先細りの円柱形状ないし円すい形状となされ、その周面には、当該周面を周回すると共に当該周囲から半径方向に延びて封緘突条１３２ａが上下３段、形成されている。他方、フック部１２の先端には、上方に開口する円柱状の孔部１２５が形成されていて、図３及び図４の（ウ）（エ）図に示されるとおり、当該孔部１２５に先端キャップ１３の嵌入部１３２が嵌入されて取り付けられる。
【００２５】
尚、この先端キャップ１３は必ずしも取り付けられる必要はない。フック部１２に引っ掛けられ、吊り下げられる物品の大きさ、重さ、あるいは形状によって、必要な場合にのみ取り付けるようにすることもできる。
【００２６】
また、この返し部１３１の形状は、この実施形態の形状に限られず、任意の形状とすることができる。さらに、先端キャップ１３は物掛け具１の本体（把持体７１およびフック部１２）とは別体として作製されているが、物掛け具１の本体と一体的に成形されるようにしてもよい。
【００２７】
この実施形態においては、物掛け具１は、先端キャップ１３を含めポリプロピレンにより作製されているが、これに限られず、同様に成形可能であって所定の強度を備えていれば他の樹脂材料、金属材料、木材、その他任意の材料を適宜選択して用いることが可能である。
【００２８】
以上のような構成を備える物掛け具１に、物品を引っ掛け吊るすことによって、様々な物品を整理して収納することができる。このとき、物掛け具１は、ベルト部材Ｂを挟持するようにして取り付けられるので、ベルト部材Ｂの任意の位置に取り付けることが可能である。それゆえ、収納する物品の大きさや形状、収納スペースの事情、あるいは利用者の好みに応じて物掛け具１の取り付け位置を自由に変更でき、より好適な収納を行うことが可能なものとなる。
【００２９】
また、このような構成を備える物掛け具１は、例えば図５に示す収納装置Ｓにも用いられる。図５に示す収納装置Ｓは、２本のベルト部材Ｂ、Ｂと、当該２本のベルト部材Ｂ、Ｂ間に差し渡されて取り付けられた収納部材Ｌ１、Ｌ２、Ｌ３とにより構成されている。ベルト部材Ｂは、いずれも水平杆Ｐから吊り下げられており、当該ベルト部材間に収納部材Ｌ１、Ｌ２、Ｌ３が取り付けられて、この収納部材Ｌ１、Ｌ２、Ｌ３に様々な物品を収納できるようになされたものである。
【００３０】
ベルト部材Ｂは、この実施形態においては、ポリプロピレン製の織物で形成された長尺のベルト本体Ｂ１の一端部に、略四角形状をした金属製のリング部材（所謂角カン）Ｂ２が取り付けられてなるものである。このベルト本体Ｂ１を水平杆Ｐの周囲に回すようにしたのち、リング部材Ｂ２にバンド本体Ｂ１の他端部を挿通させ、当該他端部を下方に引っ張るようにして、ベルト部材Ｂ１は水平杆Ｐに吊り下げられる。当該ベルト本体Ｂ１は、可撓性があり所定の強度を備えていれば任意の材料にて形成できるものであり、またリング部材Ｂ２は、角カンに限定されず、任意の形状のものを適宜選択して用いることが可能である。
【００３１】
ベルト部材Ｂ、Ｂ間に取り付けられた収納部材Ｌ１は、ウォールポケットである。ウォールポケットＬ１は、四角形状の背面布Ｌ１１の前面に計５つの収納ポケットＬ１２を形成したものであり、この収納ポケットＬ１２に雑誌や書類、小物などを入れて整理することができるものである。このウォールポケットＬ１は、図５および図６に示すとおり、物掛け具１によってベルト部材Ｂに取り付けられている。すなわち、ウォールポケットＬ１は、その背面布Ｌ１１の左右両端かつ上端部近傍に形成された係止孔Ｌ１３を物掛け具１のフック部１２に引っ掛けることにより、図５および図６に示すように、ベルト部材Ｂに吊り下げられている。
【００３２】
また、収納部材Ｌ３は収納ボックスであり、収納ボックスＬ３は、上述のウォールポケットＬ１と同様、取付手段である物掛け具１により、ベルト部材Ｂに取り付けられている。すなわち、収納ボックスＬ３の背面板Ｌ３１の両側端における上端部近傍には、それぞれ係止孔Ｌ３２が形成されており、ベルト部材Ｂに取り付けられた物掛け具１のフック部１２に当該係止孔Ｌ３２を引っ掛けるようにして、図５に示すように収納ボックス５をベルト部材Ｂに取り付けている。
【００３３】
尚、収納部材Ｌ２は、ハンガーバーであり、このハンガーバーＬ２にＳ字フックを取り付けて物品を吊り下げたり、直接このハンガーバーＬ２に物品を引っ掛けたりして様々な物品を収納するものである。このハンガーバーＬ２は、硬質の棒状部材Ｌ３１と、該棒状部材Ｌ３１の両端部に取り付けられた取付ジョイントＬ３２とからなる。取付ジョイントは、本発明の物掛け具１と同様、ベルト部材Ｂを挟持する挟持部を備え、当該挟持部によりベルト部材に取り付けられている。このような硬質のハンガーバーＬ２を利用することによりベルト部材Ｂ、２間の間隔を一定に保つことができるので、安定的に物品を収納することが可能となる。
【実施例２】
【００３４】
図７は、本発明に係る物掛け具１の別の実施形態を示す図である。この実施形態については、実施例１との共通点が多いため当該共通点については説明を省略し、相違点についてのみ説明をする。
【００３５】
この実施形態においては、図７及び図８に示すように、表裏両面にフック部１２が形成されており、ベルト部材Ｂの表裏両面（のフック部１２）に物品を吊るして収納することができる。
【００３６】
このようにすれば、例えば実施例１における収納装置Ｓをクローゼット内に取り付けた場合、これまでは利用されなかった収納装置Ｓの背面側のデッドスペースを利用して様々な物品を収納することが可能となる。
【００３７】
以上、本発明に係る物掛け具について、いくつかの実施形態を示して説明したが、本発明は、これらの実施形態に限られるものではなく、本発明の趣旨を逸脱しない範囲で様々に形態等を変更することが可能なものである。
【符号の説明】
【００３８】
１      物掛け具
１１    把持部
１２    フック部
Ｓ      収納装置
【図１】
2012016405.tif 000003
【図２】
2012016405.tif 000004
【図３】
2012016405.tif 000005
【図４】
2012016405.tif 000006
【図５】
2012016405.tif 000007
【図６】
2012016405.tif 000008
【図７】
2012016405.tif 000009
【図８】
2012016405.tif 000010